(57)【要約】【課題】  外部接続後に表示を行い、その外部接続を解除した後の表示までの時間を大幅に短縮することを可能にした画像再生装置を提供すること。【解決手段】  出力先の表示機器に画像を表示できる表示手段、複数の画像を同時に再生できる再生手段、画像に対して任意のサイズにリサイズ処理が可能なリサイズ手段、出力機器から出力解像度を取得する出力解像度認識手段を有する時、出力先の解像度が変更された時に、元の解像度と時表示先の解像度を比較し、状況に応じて元のメモリ領域全体をリサイズして表示を行う切り替え手段を特徴とする構成とした。【選択図】  図１(Ａ)
2014165695.tif 000002
【特許請求の範囲】
【請求項１】
出力先の表示機器に画像を表示できる表示手段、複数の画像を同時に再生できる再生手段、画像に対して任意のサイズにリサイズ処理が可能なリサイズ手段、出力機器から出力解像度を取得する出力解像度認識手段を有する時、出力先の解像度が変更された時に、元の解像度と時表示先の解像度を比較し、状況に応じて元のメモリ領域全体をリサイズして表示を行う切り替え手段を特徴とする画像再生装置。
【請求項２】
請求項１の画像再生装置で画像が表示された後、再度同じ画像を記録媒体から読み出し前記再生手段を用いて別領域に用意する再生手段を有する時、その画像とすでに表示されている荒い画像を挿げ替える画像挿げ替え手段を特徴とする請求項１に記載の画像再生装置。
【発明の詳細な説明】
【技術分野】
【０００１】
本発明は、画像再生装置に関し、特に外部接続再生に関するものである。
【背景技術】
【０００２】
従来、画像再生装置として、固体メモリ素子を有するメモリカードを記録媒体として、静止画像や動画像の撮像、記録および再生を行う電子カメラが市販されている。
【０００３】
このような電子カメラでは、映像信号のデジタル化および高解像度化および各種補正機能などに伴い、撮影・記録・再生の間隔の増長が懸念されており短縮化が必要である。
【０００４】
この短縮化の流れに逆らうようにＨＤＭＩ出力やＡＶ出力に代表される外部接続機器への表示が存在し、特にＨＤＭＩ出力に関しては現状のＡＶ出力に比べて格段に解像度が上がった為、再生表示までの時間がまた新たに増加した。
【０００５】
これに対して特許文献１では、静止画像の表示を切り替える際に、次に表示される静止画像の画像データをフレームメモリに書き込んで画像を展開する期間は、前記フレームメモリからの読み出しを行わずに、所定の画像信号を表示装置側に出力する表示制御装置を備えたことを特徴とする携帯機器ということが記載されている。
【０００６】
この文献は、待ち時間の間に所定の表示をすることをすることでユーザーを不快にさせないような対処をするということに主眼をおいている。
【先行技術文献】
【特許文献】
【０００７】
【特許文献１】特開２０１１−１３５５１２号公報
【発明の概要】
【発明が解決しようとする課題】
【０００８】
しかしながら、上述の特許文献で開示された技術では、最終的に見せたい画像が瞬時に表示できない、実際の画像表示までの時間が余計にかかってしまうというデメリットが生じしてしまう。
【０００９】
かつ、現状の大多数の製品は、画像再生中に外部接続ケーブルの挿抜があった場合に画像の読み出しから全ての画像処理工程をやり直している為、同じ画像を表示するにもかかわらず表示までに時間がかかってしまう。
【００１０】
そこで、本発明の目的は、外部接続後に表示を行い、その外部接続を解除した後の表示までの時間を大幅に短縮することを可能にした画像再生装置を提供することである。
【課題を解決するための手段】
【００１１】
上記目的を達成するために、出力先の表示機器に画像を表示できる表示手段、複数の画像を同時に再生できる再生手段、画像に対して任意のサイズにリサイズ処理が可能なリサイズ手段、出力機器から出力解像度を取得する出力解像度認識手段を有する時、出力先の解像度が変更された時に、元の解像度と次表示先の解像度を比較し、状況に応じて元のメモリ領域全体をリサイズして表示を行う切り替え手段を特徴とする構成とした。
【発明の効果】
【００１２】
本発明によれば、外部接続後に表示を行いその外部接続を解除した後の表示までの時間を大幅に短縮することを可能にした画像再生装置を提供することができる。
【図面の簡単な説明】
【００１３】
【図１（Ａ）】実施の形態を説明する画像再生装置の再生に関して、これの全体フローチャートである。
【図１（Ｂ）】実施の形態を説明する画像再生装置の再生に関して、100枚画像再生を行う場合のフローチャートである。
【図１（Ｃ）】実施の形態を説明する画像再生装置の再生に関して、100枚中１枚の画像再生を行う場合のフローチャートである。
【図２】実施の形態を説明する画像再生装置のブロック図である。
【図３】実施の形態を説明する概要図である。
【図４】実施の形態を説明するデータフロー図である。
【発明を実施するための形態】
【００１４】
以下、本発明の好適な一実施形態について、図面を参照して詳細に説明する。
【００１５】
図２は、本発明の一実施形態における画像処理機能を有する撮像装置の構成を示すブロック図である。本実施形態においては、撮像装置としてレンズ交換可能な一眼レフタイプのデジタルスチルカメラを例に挙げて説明する。
【００１６】
図２に示すように、本実施形態の撮像装置は、主にカメラ本体１００と、交換レンズタイプのレンズユニット３００とを備えて構成されている。
【００１７】
レンズユニット３００において、３１０は複数のレンズから成る撮像レンズ、３１２は絞り、３０６はレンズユニット３００をカメラ本体１００と機械的に結合するレンズマウントである。レンズマウント３０６内には、レンズユニット３００をカメラ本体１００と電気的に接続する各種機能が含まれている。３２０は、レンズマウント３０６において、レンズユニット３００をカメラ本体１００と接続するためのインターフェース、３２２はレンズユニット３００をカメラ本体１００と電気的に接続するコネクタである。
【００１８】
コネクタ３２２は、カメラ本体１００とレンズユニット３００との間で制御信号、状態信号、データ信号などを伝え合うと共に、各種電圧の電流を供給される機能も備えている。また、コネクタ３２２は電気通信のみならず、光通信、音声通信などを用いて通信を行う構成としてもよい。３４０は、測光制御部４６からの測光情報に基づいて、後述するカメラ本体１００のシッター１２を制御するシャッター制御部４０と連携しながら、絞り３１２を制御する絞り制御部である。３４２は撮像レンズ３１０のフォーカシングを制御するフォーカス制御部、３４４は撮像レンズ３１０のズーミングを制御するズーム制御部である。
【００１９】
３５０はレンズユニット３００全体を制御するレンズシステム制御回路である。レンズシステム制御回路３５０は、動作用の定数、変数、プログラムなどを記憶するメモリを備えている。更に、レンズユニット３００固有の番号などの識別情報、管理情報、開放絞り値や最小絞り値、焦点距離などの機能情報、現在や過去の各設定値などを保持する不揮発性メモリも備えている。
【００２０】
次に、カメラ本体１００の構成について説明する。
【００２１】
１０６はカメラ本体１００とレンズユニット３００を機械的に結合するレンズマウント、１３０，１３２はミラーで、撮像レンズ３１０に入射した光線を一眼レフ方式によって光学ファインダー１０４に導く。なお、ミラー１３０はクイックリターンミラーの構成としても、ハーフミラーの構成としても、どちらでも構わない。１２はフォーカルプレーン式のシャッター、１４はＣＣＤ、ＣＭＯＳセンサ等からなり、被写体像を光電変換する撮像素子である。撮像素子１４の前方には、光学ローパスフィルター等の光学素子１４ａが配置されている。
【００２２】
撮像レンズ３１０に入射した光線は、一眼レフ方式によって光量制限手段である絞り３１２、レンズマウント３０６及び１０６、ミラー１３０、シャッター１２を介して導かれ、光学像として撮像素子１４上に結像される。
【００２３】
１６は、撮像素子１４から出力されるアナログ信号（出力信号）をデジタル信号に変換するＡ／Ｄ変換器である。１８は撮像素子１４、Ａ／Ｄ変換器１６、Ｄ／Ａ変換器２６にそれぞれクロック信号や制御信号を供給するタイミング発生回路であり、メモリ制御回路２２及びシステム制御回路５０により制御される。
【００２４】
２０は画像処理回路であり、Ａ／Ｄ変換器１６からのデータ或いはメモリ制御回路２２からのデータに対して所定の画素補間処理や色変換処理を行う。また、画像処理回路２０は、必要に応じて、Ａ／Ｄ変換器１６から出力される画像データを用いて所定の演算処理を行う。得られた演算結果に基づいてシステム制御回路５０がシャッター制御部４０、焦点調節部４２を制御するための、コントラスト方式のオートフォーカス（ＡＦ）処理、自動露出（ＡＥ）処理、フラッシュプリ発光（ＥＦ）処理を行うことができる。さらに、画像処理回路２０は、Ａ／Ｄ変換器１６から出力される画像データを用いて所定の演算処理を行い、得られた演算結果に基づいてＴＴＬ方式のオートホワイトバランス（ＡＷＢ）処理も行っている。
【００２５】
２２はメモリ制御回路であり、Ａ／Ｄ 変換器１６、タイミング発生回路１８、画像処理回路２０、画像表示メモリ２４、Ｄ／Ａ変換器２６、メモリ３０、圧縮・伸長回路３２を制御する。Ａ／Ｄ変換器１６から出力される画像データは、画像処理回路２０、メモリ制御回路２２を介して、或いはメモリ制御回路２２のみを介して、画像表示メモリ２４或いはメモリ３０に書き込まれる。
【００２６】
２４は画像表示メモリ、２６はＤ／Ａ変換器、２８はＴＦＴ方式のＬＣＤ等から成る画像表示部であり、画像表示メモリ２４に書き込まれた表示用の画像データはＤ／Ａ変換器２６を介して画像表示部２８により表示される。画像表示部２８を用いて、撮像した画像データを逐次表示することで、電子ビューファインダー（ＥＶＦ）機能を実現することができる。また、画像表示部２８は、システム制御回路５０の指示により任意に表示をＯＮ／ＯＦＦすることが可能であり、表示をＯＦＦにした場合にはカメラ本体１００の電力消費を大幅に低減することができる。
【００２７】
３０は撮影した静止画像あるいは動画像を格納するためのメモリであり、所定枚数の静止画像あるいは所定量の動画像を格納するのに十分な記憶容量を備えている。これにより、複数枚の静止画像を連続して撮影する連写撮影やパノラマ撮影の場合にも、高速かつ大量の画像書き込みをメモリ３０に対して行うことが可能となる。また、動画撮影時には、所定レートで連続的に書き込まれる画像のフレームバッファとして使用される。さらに、メモリ３０はシステム制御回路５０の作業領域としても使用することが可能である。
【００２８】
３１は複数の画像を合成して1枚の合成写真を作成する画像合成回路である。メモリ３０に書き込まれている画像データを複数同時に読み込み、回路内で合成処理を実施し、作成された合成画像データはメモリ３０に書き込まれる。合成回路としては、Ａ／Ｄ変換器１６によって変換されてメモリ制御回路２２によって書き込まれた画像データや、画像処理回路２０によって画像処理された画像データを合成する回路となる。
【００２９】
３２は公知の圧縮方法を用いて画像データを圧縮・伸長する圧縮・伸長回路である。圧縮・伸長回路３２は、メモリ３０に格納された画像を読み込んで圧縮処理或いは伸長処理を行い、処理を終えたデータを再びメモリ３０に書き込む。また、動画像データを所定のフォーマットに圧縮符号化し、又は所定の圧縮符号化データから動画像信号を伸張する機能も有する。
【００３０】
４０はシャッター制御部であり、測光制御部４６からの測光情報に基づいて絞り３１２を制御する絞り制御部３４０と連携しながらシャッター１２を制御する。４２はＡＦ（オートフォーカス）処理を行うための焦点調節部である。レンズユニット３００内の撮像レンズ３１０に入射した光線を絞り３１２、レンズマウント３０６，１０６、ミラー１３０及び焦点調節用サブミラー（不図示）を介して一眼レフ方式で入射させることにより、光学像として結像された画像の合焦状態を測定する。
【００３１】
４６はＡＥ（自動露出）処理を行うための測光制御部である。レンズユニット３００内の撮像レンズ３１０に入射した光線を、絞り３１２、レンズマウント３０６，１０６、ミラー１３０及び測光用サブミラー（図示せず）を介して一眼レフ方式で入射させることにより、光学像として結像された画像の露出状態を測定する。
【００３２】
また、焦点調節部４２による測定結果と、Ａ／Ｄ変換器１６からの画像データを画像処理回路２０によって演算した演算結果とを用いて、ＡＦ制御を行うようにしてもよい。さらに、測光制御部４６による測定結果と、Ａ／Ｄ変換器１６からの画像データを画像処理回路２０によって演算した演算結果とを用いて露出制御を行うようにしてもよい。
【００３３】
５０はカメラ本体１００全体を制御するシステム制御回路であり、周知のＣＰＵなどを内蔵する。５２はシステム制御回路５０の動作用の定数、変数、プログラム等を記憶するメモリである。
【００３４】
５４はシステム制御回路５０でのプログラムの実行に応じて、文字、画像、音声などを用いて動作状態やメッセージなどを外部に通知するための通知部である。通知部５４としては、例えばＬＣＤやＬＥＤなどによる視覚的な表示を行う表示部や音声による通知を行う発音素子などが用いられるが、通知部５４はこれらのうち１つ以上の組み合わせにより構成される。特に、表示部の場合には、カメラ本体１００の操作部７０近辺の、視認しやすい、単数あるいは複数箇所に設置される。また、通知部５４は、その一部の機能が光学ファインダー１０４内に設置されている。
【００３５】
通知部５４の表示内容の内、ＬＣＤなどの画像表示部２８に表示するものとしては以下のものがある。まず、単写／連写撮影表示、セルフタイマー表示等、撮影モードに関する表示がある。また、圧縮率表示、記録画素数表示、記録枚数表示、残撮影可能枚数表示等の記録に関する表示がある。また、シャッター速度表示、絞り値表示、露出補正表示、調光補正表示、外部フラッシュ発光量表示、赤目緩和表示等の撮影条件に関する表示がある。その他に、マクロ撮影表示、ブザー設定表示、電池残量表示、エラー表示、複数桁の数字による情報表示、記録媒体２００の着脱状態表示がある。更に、レンズユニット３００の着脱状態表示、通信Ｉ／Ｆ動作表示、日付・時刻表示、外部コンピュータとの接続状態を示す表示等も行われる。
【００３６】
また、通知部５４の表示内容のうち、光学ファインダー１０４内に表示するものとしては、例えば、以下のものがある。合焦表示、撮影準備完了表示、手振れ警告表示、フラッシュ充電表示、フラッシュ充電完了表示、シャッター速度表示、絞り値表示、露出補正表示、記録媒体書き込み動作表示等である。
【００３７】
５６は後述するプログラムなどが格納された電気的に消去・記録可能な不揮発性メモリであり、例えばＥＥＰＲＯＭ等が用いられる。
【００３８】
５８は光学情報格納メモリであり、レンズユニット３００からコネクタ１２２を介して得られる、後述する各種レンズ情報を記憶する。
【００３９】
６０，６２，６４，７０は、システム制御回路５０の各種の動作指示を入力するための操作手段であり、スイッチやダイアル、タッチパネル、視線検知によるポインティング、音声認識装置等の単数或いは複数の組み合わせで構成される。
【００４０】
ここで、これらの操作手段の具体的な説明を行う。
【００４１】
６０はモードダイアルスイッチで、自動撮影モード、プログラム撮影モード、シャッター速度優先撮影モード、絞り優先撮影モード、マニュアル撮影モード、焦点深度優先（デプス）撮影モード等の各機能撮影モードを切り替え設定することができる。他に、ポートレート撮影モード、風景撮影モード、接写撮影モード、スポーツ撮影モード、夜景撮影モード、パノラマ撮影モードなどの各機能撮影モードを切り替え設定することもできる。
【００４２】
６２はシャッタースイッチＳＷ１で、不図示のシャッターボタンの操作途中（例えば半押し）でＯＮとなり、ＡＦ処理、ＡＥ処理、ＡＷＢ処理、ＥＦ処理等の動作開始を指示する。
【００４３】
６４はシャッタースイッチＳＷ２で、不図示のシャッターボタンの操作完了（例えば全押し）でＯＮとなり、露光処理、現像処理、及び記録処理からなる一連の処理の動作開始を指示する。まず、露光処理では、撮像素子１４から読み出した信号をＡ／Ｄ変換器１６、メモリ制御回路２２を介してメモリ３０に書き込み、更に、画像処理回路２０やメモリ制御回路２２での演算を用いた現像処理が行われる。更に、記録処理では、メモリ３０から画像データを読み出し、圧縮・伸張回路３２で圧縮を行い、記録媒体２００に書き込む。
【００４４】
７０は各種ボタンやタッチパネルなどから成る操作部である。一例として、ライブビュー開始／停止ボタン、動画記録開始／停止ボタン、メニューボタン、セットボタン、マルチ画面再生改ページボタン、フラッシュ設定ボタン、単写／連写／セルフタイマー切り替えボタン、メニュー移動＋（プラス）ボタン、メニュー移動−（マイナス）ボタンを含む。更に、再生画像移動＋（プラス）ボタン、再生画像移動−（マイナス）ボタン、撮影画質選択ボタン、露出補正ボタン、調光補正ボタン、外部フラッシュ発光量設定ボタン、日付／時間設定ボタンなども含む。なお、上記プラスボタン及びマイナスボタンの各機能は、回転ダイアルスイッチを備えることによって、より軽快に数値や機能を選択することが可能となる。
【００４５】
また、画像表示部２８のＯＮ／ＯＦＦを設定する画像表示ＯＮ／ＯＦＦスイッチ、撮影直後に撮影した画像データを自動再生するクイックレビュー機能を設定するクイックレビューＯＮ／ＯＦＦスイッチがある。また、ＪＰＥＧ圧縮の圧縮率を選択するため、あるいは撮像素子の信号をそのままデジタル化して記録媒体に記録するＲＡＷモードを選択するためのスイッチである圧縮モードスイッチがある。また、ワンショットＡＦモードとサーボＡＦモードとを設定可能なＡＦモード設定スイッチなどがある。ワンショットＡＦモードでは、シャッタースイッチＳＷ１（６２）を押した際にオートフォーカス動作を開始し、一旦合焦した場合、その合焦状態を保ち続ける。サーボＡＦモードでは、シャッタースイッチＳＷ１（６２）を押している間、連続してオートフォーカス動作を続ける。
【００４６】
８０は電源制御部で、電池検出回路、ＤＣ−ＤＣコンバータ、通電するブロックを切り替えるスイッチ回路等により構成されている。電源制御部８０は、電池の装着の有無、電池の種類、電池残量の検出を行い、検出結果及びシステム制御回路５０の指示に基づいてＤＣ−ＤＣコンバータを制御し、必要な電圧を必要な期間、記録媒体を含む各部へ供給する。
【００４７】
８２，８４はコネクタ、８６はアルカリ電池やリチウム電池等の一次電池、ＮｉＣｄ電池やＮｉＭＨ電池、Ｌｉ‐ｉｏｎ電池、Ｌｉポリマー電池等の二次電池、ＡＣアダプター等からなる電源部である。
【００４８】
９０はメモリカードやハードディスク等の記録媒体やＰＣとのインターフェース、９２はメモリカードやハードディスク等の記録媒体やＰＣと接続を行うコネクタである。９８はコネクタ９２に記録媒体２００が装着されているか否かを検知する記録媒体着脱検知回路である。
【００４９】
インターフェース及びコネクタとしては、種々の記憶媒体の規格に準拠したものを用いて構成することが可能である。例えば、ＰＣＭＣＩＡ（Personal Computer Memory Card International Association）カードやＣＦ（コンパクトフラッシュ（登録商標））カード、ＳＤカード等である。インターフェース９０、そしてコネクタ９２をＰＣＭＣＩＡカードやＣＦカード等の規格に準拠したものを用いて構成した場合、各種通信カードを接続することができる。通信カードとしては、ＬＡＮカードやモデムカード、ＵＳＢ（Universal Serial Bus）カード、ＩＥＥＥ（Institute of Electrical and Electronic Engineers）１３９４カードがある。他にも、Ｐ１２８４カード、ＳＣＳＩ（Small Computer System Interface）カード、ＰＨＳ等がある。これら各種通信カードを接続することにより、他のコンピュータやプリンタ等の周辺機器との間で画像データや画像データに付属した管理情報を転送し合うことができる。
【００５０】
１０４は光学ファインダーであり、撮像レンズ３１０に入射した光線を、一眼レフ方式によって、絞り３１２、レンズマウント３０６，１０６、ミラー１３０，１３２を介して導き、光学像として結像させて表示することができる。これにより、画像表示部２８による電子ファインダー機能を使用すること無しに、光学ファインダーのみを用いて撮影を行うことが可能である。また、光学ファインダー１０４内には、通知部５４の一部の機能、例えば、合焦状態、手振れ警告、フラッシュ充電、シャッター速度、絞り値、露出補正などが表示される。
【００５１】
１２０はレンズマウント１０６内でカメラ本体１００をレンズユニット３００と接続するためのインターフェースである。
【００５２】
１２２はカメラ本体１００をレンズユニット３００と電気的に接続するコネクタである。また、レンズマウント１０６及びコネクタ１２２にレンズユニット３００が装着されているか否かは、不図示のレンズ着脱検知部により検知される。コネクタ１２２はカメラ本体１００とレンズユニット３００との間で制御信号、状態信号、データ信号などを伝え合うと共に、各種電圧の電流を供給する機能も備えている。
【００５３】
また、コネクタ１２２は電気通信だけでなく、光通信、音声通信により通信を行う構成としてもよい。
【００５４】
２００はメモリカードやハードディスク等の記録媒体である。この記録媒体２００は、半導体メモリや磁気ディスク等から構成される記録部２０２、カメラ本体１００とのインターフェース２０４、カメラ本体１００と接続を行うコネクタ２０６を備えている。
【００５５】
記録媒体２００としては、ＰＣＭＣＩＡカードやコンパクトフラッシュ（登録商標）等のメモリカード、ハードディスク等を用いることができる。また、マイクロＤＡＴ、光磁気ディスク、ＣＤ−ＲやＣＤ−ＲＷ等の光ディスク、ＤＶＤ等の相変化型光ディスク等で構成されていても勿論構わない。
【００５６】
以下、図１(Ａ)、図１（Ｂ）、図１ (Ｃ)、図３、図４を参照して、本発明の第1の実施例について画像再生装置に適用した場合について説明する。
【００５７】
図１(Ａ)の全体像についてフローチャートを用いて説明する。カメラはS100において、再生開始を行い、再生モードに入る。再生モードに入るとS101において外部接続ケーブルの接続を検知する。そして、S102において100枚再生を実施する。この形態については、図１(Ｂ)で詳細に説明を行う。この100枚再生が実施されると外部接続の画面に多数の画像が表示されるが、この状態でS103において外部接続ケーブルを抜き、その挿抜検知を画像再生装置が行う。S103において外部接続が解除された場合、S104において次接続先表示機器の解像度通知を受ける。S105においてその解像度通知の結果を現状の解像度と比べて同じか判断し、同じである場合、S106において、画像処理として何も行わないという処理を行い、そして最後にS115で再生終了とする。
【００５８】
またS105において現在の解像度通知が次接続先表示機器の解像度と同じでないかつS107において現在の解像度通知が次接続先表示機器の解像度より大きいかという判断を行いその結果、もし小さかった場合、S108において100枚再生を実施する。この形態については、図１(Ｂ)で詳細に説明を行う。そして最後にS115で再生終了とする。
【００５９】
またS105、S107において、現在の解像度通知が次接続先表示機器の解像度よりも大きいと判断した場合、S109において表示されているメモリ領域とは別領域に、次接続先表示機器の解像度に合うように複数画像が描画されているメモリ領域全体に対して縮小リサイズを行う。そして、S110においてS109でリサイズしたメモリ領域全体を表示する。
【００６０】
このS110とS109について図３を用いて概要を説明する。
ユーザーから見た図としては、S400のメモリ領域をS401で小さい解像度に変更依頼があった場合、S402のメモリ領域にメモリ全体に対してリサイズ処理を施し表示する。この時に、新たに画像を読み直したりするような画像単体での操作を行わない。
【００６１】
そのS400から最終的な表示S402が出力されるまでの詳細を図４のデータフロー図を用いて説明する。
【００６２】
このデータフロー図を説明するに当たって、表示メモリ、下書きメモリ、退避メモリの３つのメモリ領域が存在するので、それを説明する。
【００６３】
表示メモリについては、現在表示されているメモリである。このメモリに対して操作を行うと書き込み途中の画が見えてしまうので、表示中のメモリは操作しない。
【００６４】
下書きメモリについては、描画する前の準備メモリである。このメモリ領域に描画を行うものを書き込み、表示メモリと挿げ替えることにより表示が行われる。
【００６５】
退避メモリについては、第２の下書きメモリである。下書きメモリが１つでは不足する場合にしか使用しないので、通常使用することがないメモリである。
【００６６】
まず、S500表示メモリからS502退避メモリにメモリ全体をコピーし、S500の表示メモリを黒に初期化する。この時S501の下書きメモリは黒で初期化されていることが前提である。これにより、仮に解像度切り替え後のデバイスの表示が早すぎる場合に意図しない画が表示されることを防ぐ。この作業の完了状態がS503の表示メモリ、S504の下書きメモリ、S505の退避メモリである。
【００６７】
この処理が終わり次第、S505の退避メモリに対してリサイズ処理を施し、S504の下書きメモリに対して描画を行う。この時S503の表示メモリは先ほどの初期化により黒のままである。この作業の完了状態がS506の表示メモリ、S507の下書きメモリ、S508の退避メモリである。
【００６８】
そして、S507の下書きメモリをS506の表示メモリと挿げ替えて、S508の退避領域を挿げ替えられた後の下書き領域、実質的にはS506の表示メモリとすげ替える。この作業の完了状態がS509の表示メモリ、S510の下書きメモリ、S511の退避メモリである。
これにより、リサイズ後の画像が表示される。
【００６９】
描画範囲については、メモリの大きさと共に表示デバイスの解像度が変わっているので、ユーザーから見た図としては、S402になる。
【００７０】
その後、S111において、100枚中1枚再生を行う。この形態については、図１(Ｃ)で詳細に説明を行う。それが完了次第、S112において描画した１枚を表示されているものに対して挿げ替える。これは画像に対して外部接続ケーブルを切断する前にリサイズを行った後、重ねてS110においてリサイズを行っているので、画質が低下する為、それをよりよい画質にするための対策である。
【００７１】
これをS113において１枚再生、S112において挿げ替える表示が終わるごとに100枚再生が終わったかの確認をしてその結果、100枚再生終了した場合にはS115で表示終了とする。
【００７２】
また、S113において100枚再生が終わっていない場合は、S114においてカードに入っている画像全ての処理が終わったかの確認をして、カード内の全ての画像処理が終わっている場合には、S115において再生終了になるが、そうでない場合は、S111に戻り１枚再生を再度行う。
【００７３】
図１(Ｂ)の画像１００枚再生についてフローチャートを用いて詳細を説明する。
まず、S200において100枚再生を開始する。次に、S201において100枚中1枚画像再生を開始する。この形態については、図１(Ｃ)で詳細に説明を行う。
S201において１枚再生が終わるたびに、S202において100枚再生が終わったかの確認をしてその結果、100枚再生終了した場合にはS204で表示終了とする。
【００７４】
また、S202において100枚再生が終わっていない場合は、S203においてカードに入っている画像全ての処理が終わったかの確認をして、カード内の全ての画像処理が終わっている場合には、S204において再生終了になるが、そうでない場合は、S201に戻り１枚再生を再度行う。
【００７５】
図１(Ｃ)の画像１枚再生についてフローチャートを用いて詳細を説明する。S300において100枚中1枚画像再生を開始する。S301において記録媒体からファイル情報を読み取り、ファイルが壊れてないかの確認を行う。S301において壊れている場合には、S302においてあらかじめ決まっている所定の画像、例えば画像の描画を行い、S308において100枚中１枚の再生が終了となる。もし、壊れていない場合はS303において画像本体のアドレス、画像アスペクト比、回転情報、表示させたい大きさ、位置を指定しS304においてＪＰＥＧヘッダ解析を行い、ＪＰＥＧのデコードに必要な情報を取得する。次に、S305においてＪＰＥＧデコードを行い、S306においてリサイズ処理を行い、S307において回転処理を行い、S308において100枚中１枚の再生が終了となる。
【００７６】
上記での図１(Ａ)、図１(Ｂ)、図１(Ｃ)で発明は完成するが、図１(Ａ)に対して別の形態もとってもよい。
【００７７】
例えば、S105において現在の解像度通知が次接続先表示機器の解像度と同じでない場合かつ、S107において現在の解像度通知が次接続先表示機器の解像度より大きいかの判断で小さいと判断された場合、S108において画像読み出しからすべての画像処理を実行しなくてはならない。これを防ぐために、荒い画像でもよいので、ひとまずメモリ領域全体を拡大して表示させ、画像としての全体像を表示するという方法をとることも可能である。
【００７８】
また、S105において現在の解像度通知が次接続先表示機器の解像度と同じでない場合には、S108において画像読み出しからすべての画像処理を実行するもしくは、S109以降においてメモリ全体に対するリサイズ画像を表示する制御をおこなわなくてはならない。
しかし、解像度の違いが顕著でない場合、具体的には720＊480と比べた704＊480や640＊480などの解像度とのときには、描画時間短縮化の為、メモリ領域全体を中心に持ってくることによりそのまま表示する方法をとることも可能である。
【００７９】
本実施例により、外部接続を解除した後の表示までの時間を大幅に短縮することが可能になる。
【００８０】
以上、本発明の好ましい実施形態について説明したが、本発明はこれらの実施形態に限定されず、その要旨の範囲内で種々の変形及び変更が可能である。
【符号の説明】
【００８１】
１０：撮影レンズ    １２：シャッター    １４：撮像素子    １６：Ａ／Ｄ変換器
１８：タイミング発生回路    ２０：画像処理回路    ２２：メモリ制御回路
２４：画像表示メモリ    ２６：Ｄ／Ａ変換器    ２８：画像表示部
３０：メモリ    ３１：画像合成回路    ３２：画像圧縮・伸長回路
４０：露光制御手段    ４２：測距制御手段    ４６：測光制御手段 
５０：システム制御回路    ５２：メモリ    ５４：表示部    ５６：不揮発性メモリ
６０：モードダイアルスイッチ    ６２：シャッタースイッチSW1
６４：シャッタースイッチSW2    ７０：操作部    ８０：電源制御手段
８２：コネクタ    ８４：コネクタ    ９０：インターフェース    ９２：コネクタ
９４：インターフェース    ９６：コネクタ    ９８：記録媒体着脱検知手段
１００：画像再生装置    １０２：保護手段    １０４：光学ファインダー
２００：記録媒体    ２０２：記録部    ２０４：インターフェース
２０６：コネクタ    ３００：レンズユニット    ３０６：レンズマウント
３１０：撮像レンズ    ３１２：絞り    ３２０：インターフェース
３２２：コネクタ    ３４０：絞り制御部    ３４２：フォーカス制御部
３４４：ズーム制御部    ３５０：レンズシステム制御回路
【図１（Ａ）】
2014165695.tif 000003
【図１（Ｂ）】
2014165695.tif 000004
【図１（Ｃ）】
2014165695.tif 000005
【図２】
2014165695.tif 000006
【図３】
2014165695.tif 000007
【図４】
2014165695.tif 000008